(57)【特許請求の範囲】
【請求項１】
細長い板部の長手方向と直交する方向の側部にて側方に突出して形成した複数の切断刃部を所定の間隔を介して配置した上ブレードと下ブレードを前記長手方向に摺動自在となるように上下に重ね合わせ、前記上ブレードの切断刃部と前記下ブレードの切断刃部とが互いに重なり合うのと離間するのを繰り返すように、前記上ブレードと前記下ブレードとを前記長手方向にて相対的に逆向きに往復動させることで、前記上ブレードの切断刃部と前記下ブレードの切断刃部との間にある被切断物を切断するようにしたブレードアセンブリであって、
前記上下ブレードの各切断刃部は、前記板部の前記側部から側方に突出して少なくとも端部以外を直線状とした第１辺部と、前記板部の前記側部にて前記第１辺部と異なる位置から側方に突出して少なくとも端部以外を直線状とした第２辺部と、前記第１辺部の先端と前記第２辺部の先端を結び少なくとも端部以外を直線状とした第３辺部とを有し、前記第３辺部を前記板部の長手方向に対して交差する方向に傾斜させており、
前記第３辺部を前記長手方向に対して前記第１辺部側から前記第２辺部側に５°〜３０°の角度で傾斜させたことを特徴とするブレードアセンブリ。
【請求項２】
請求項１に記載のブレードアセンブリにおいて、
前記第２辺部と前記第３辺部の間の内角を６０°以上としたことを特徴とするブレードアセンブリ
【請求項３】
請求項１または２に記載のブレードアセンブリにおいて、
前記切断刃部の前記第１辺部は前記第２辺部側に傾斜し、前記切断刃部における前記第２辺部と前記長手方向との間の内角を前記切断刃部における前記第１辺部と前記長手方向との間の内角より大きくしたことを特徴とするブレードアセンブリ。
【請求項４】
請求項３に記載のブレードアセンブリにおいて、
前記切断刃部における前記第２辺部と前記長手方向との間の内角を直角としたことを特徴とするブレードアセンブリ。
【請求項５】
請求項１〜４の何れか１項に記載のブレードアセンブリを用いたヘッジトリマ。
【発明の詳細な説明】
【技術分野】
【０００１】
本発明は、上下ブレードを相対的に逆向きに往復動させることで上ブレードの切断刃部と下ブレードの切断刃部との間にある被切断物を切断するようにしたブレードアセンブリ及び該ブレードアセンブリを用いたヘッジトリマに関する。
【背景技術】
【０００２】
特許文献１には、ヘッジトリマ（園芸用バリカンともいう）に用いるブレードアセンブリが開示されている。このブレードアセンブリは細長い板部の長手方向と直交する方向の側部にて側方に突出して形成した複数の切断刃部を所定の間隔を介して配置した上ブレードと下ブレードを長手方向に摺動自在に上下に重ね合わせ、上ブレードと下ブレードとを長手方向にて相対的に逆向きに往復動させることで上ブレードの切断刃部と下ブレードの切断刃部との間にある被切断物を切断するようにしたものである。上下ブレードの各切断刃部は板部の側部から側方に突出した第１辺部と、板部の側部にて第１辺部と異なる位置から側方に突出した第２辺部と、第１辺部の先端と第２辺部の先端を結んだ第３辺部とを有している。第１辺部は第２辺部側に傾斜し、第２辺部は第１辺部側に傾斜し、第３辺部は板部の長手方向に平行に延び、切断刃部は略台形となっている。
【先行技術文献】
【特許文献】
【０００３】
【特許文献１】特開２０１０−０９８９７２号公報
【発明の概要】
【発明が解決しようとする課題】
【０００４】
上記のブレードアセンブリにおいては、上ブレードと下ブレードとを長手方向にて相対的に逆向きに往復動させたときに、細い木の枝であれば上ブレードの切断刃部と下ブレードの切断刃部とにより切断することができるが、ある程度太めの木の枝となると上ブレードの切断刃部と下ブレードの切断刃部とによって切断できないことがあった。図７は上記のブレードアセンブリの作動状態が示しており、上下ブレードを見やすくするために、上ブレードを実線で示し、下ブレードを２点鎖線で示している。また、このブレードアセンブリは上下のブレードを互いに逆向きに往復動させたものであるが、図７では上ブレードを同じ位置で示し、下ブレードを上ブレードに対して相対的に往復動させるように示している。なお、２点鎖線の矢印は下ブレードの往復動している方向を示し、実線の矢印は枝Ｂの動く方向を示している。
【０００５】
図７（ａ）に示したように、太めの木の枝Ｂを上下ブレードの切断刃部に接近させたときに、図７（ｂ）に示したように、下ブレードが図示左側（前側）に移動すると、枝Ｂが下ブレードの切断刃部によって図示左側（前側）に押され、図７（ｃ）の上ブレードの第３辺部を滑って上ブレードの切断刃部と下ブレードの切断刃部との間に浅く入る。図７（ｄ）に示したように、下ブレードが図示右側（後側）に移動すると、枝Ｂは下ブレードの切断刃部によって図示右側に戻され、図７（ｅ），（ｆ）に示したように、上ブレードの切断刃部と下ブレードの切断刃部の間に浅く入っていた枝Ｂは、下ブレードが図示右側（後側）に移動するときに外側に押し出される。図７（ｇ）に示したように、押し出された枝Ｂは上下のブレードの切断刃部によって切断されることなく、切断刃部の第３辺部まで持ち上げられ、図７（ｈ）に示したように、枝Ｂは慣性によって再び上ブレードの切断刃部と下ブレードの切断刃部との間に浅く入る。図７（ａ）〜（ｈ）に示した作動を再び繰り返すことで、枝Ｂは上ブレードの切断刃部と下ブレードの切断刃部との間で繰り返し弾かれて切断できない問題があった。本発明は、上ブレードの切断刃部と下ブレードの切断刃部の間で木の枝等の被切断物が弾かれないようにすることを目的とする。
【課題を解決するための手段】
【０００６】
上記課題を解決するために、本発明は、細長い板部の長手方向と直交する方向の側部にて側方に突出して形成した複数の切断刃部を所定の間隔を介して配置した上ブレードと下ブレードを長手方向に摺動自在となるように上下に重ね合わせ、上ブレードの切断刃部と下ブレードの切断刃部とが互いに重なり合うのと離間するのを繰り返すように、上ブレードと下ブレードとを長手方向にて相対的に逆向きに往復動させることで、上ブレードの切断刃部と下ブレードの切断刃部との間にある被切断物を切断するようにしたブレードアセンブリであって、上下ブレードの各切断刃部は、板部の側部から側方に突出して少なくとも端部以外を直線状とした第１辺部と、板部の側部にて第１辺部と異なる位置から側方に突出して少なくとも端部以外を直線状とした第２辺部と、第１辺部の先端と第２辺部の先端を結び少なくとも端部以外を直線状とした第３辺部とを有し、第３辺部を板部の長手方向に対して交差する方向に傾斜させたことを特徴とするブレードアセンブリを提供するものである。
【０００７】
上記のように構成したブレードアセンブリにおいては、切断刃部が板部の長手方向にて相対的に逆向きに往復動したときに、被切断物は往復動する上または下ブレードの切断刃部の傾斜した第３辺部によって上ブレードの切断刃部と下ブレードの切断刃部の間の奥部まで導かれやすくなり、被切断物が長手方向にて相対的に逆向きに往復動する上ブレードの切断刃部と下ブレードの切断刃部との間で切断されるようになった。上記のように構成したブレードアセンブリにおいては、第３辺部を板部の長手方向に対して第１辺部側から第２辺部側に５°〜３０°の角度で傾斜させるのが好ましい。このようにしたときには、被切断物を上ブレードの切断刃部と下ブレードの切断刃部の間の奥部まで導きやすくすることができるとともに、切断刃部の第１辺部の長さが短くなるのを防ぐことができる。
【０００８】
上記のように構成したブレードアセンブリにおいては、第２辺部と第３辺部の間の内角を６０°以上とするのが好ましい。このようにしたときには、被切断物が第２辺部と第３辺部との間の角部に刺さりにくくなった。
【０００９】
上記のように構成したブレードアセンブリにおいては、切断刃部の第１辺部は第２辺部側に傾斜し、切断刃部における第２辺部と長手方向との間の内角を切断刃部における第１辺部と長手方向との間の内角より大きくするのが好ましい。このようにしたときには、上下ブレードの各切断刃部が重なり合うときに、切断刃部の第２辺部に当たる被切断物が外側に逃げにくくなり、被切断物は上ブレードの切断刃部と下ブレードの切断刃部とが重なり合うときに切断されやすくなった。また、この場合において、切断刃部における第２辺部と長手方向との間の内角を直角とするのがさらに好ましい。
【００１０】
上記のように構成したブレードアセンブリをヘッジトリマに用いれば、被切断物を確実に切断できるようにしたヘッジトリマとすることができる。
【図面の簡単な説明】
【００１１】
【図１】本発明のブレードアセンブリを用いたヘッジトリマの斜視図である。
【図２】ブレードアセンブリの平面図である。
【図３】図２の一部拡大図である。
【図４】ブレードアセンブリの作動状態を示す一部拡大図である。
【図５】第２辺部と第３辺部の間の角部にアール（曲部）を付与した変形例の図３に相当する一部拡大図である。
【図６】他の実施形態のブレードアセンブリの図３に相当する一部拡大図である。
【図７】従来のブレードアセンブリの作動状態を示す一部拡大図である。
【発明を実施するための最良の形態】
【００１２】
以下、本発明のブレードアセンブリ及び該ブレードアセンブリを用いたヘッジトリマの一実施形態を図面を参照して説明する。図１に示したように、ヘッジトリマ（園芸用バリカンともいわれる）１０は、原動機１２を内蔵したハウジング１１の底部にブレードアセンブリ２０を着脱可能に取り付けたものである。
【００１３】
図２に示したように、ブレードアセンブリ２０は、上下一対のガイドプレート２１の間に上ブレード２２と下ブレード２３を長手方向ＬＤに摺動自在となるように上下に重ね合わせたものである。上ブレード２２の長手方向ＬＤと下ブレード２３の長手方向ＬＤは互いに平行となっている。上ブレード２２は細長い板部２２ａの長手方向ＬＤと直交する方向の両側部（側部）にて側方に突出して形成した複数の切断刃部２２ｂを所定の間隔を介して配置したものである。同様に、下ブレード２３も、細長い板部２３ａの長手方向ＬＤと直交する方向の両側部（側部）にて側方に突出して形成した複数の切断刃部２３ｂを所定の間隔を介して配置したものである。上ブレード２２の切断刃部２２ｂの縁部に進むにつれて細くなる傾斜面は上面に形成されており、下ブレード２３の切断刃部２２ｂの縁部に進むにつれて細くなる傾斜面は下面に形成されていることを除いて、上ブレード２２の切断刃部２２ｂの形状は下ブレード２３の切断刃部２２ｂの形状と同一となっている。また、上ブレード２２の複数の切断刃部２２ｂの間隔は下ブレード２３の複数の切断刃部２３ｂの間隔と同じとなっている。
【００１４】
上ブレード２２と下ブレード２３とは原動機１２により駆動するクランクカム（図示省略）により長手方向ＬＤに互いに逆向きに往復動する。上ブレード２２と下ブレード２３とが互いに逆向きに往復動したときに、上ブレード２２の切断刃部２２ｂと下ブレード２３の切断刃部２３ｂとが互いに重なり合うのと離間するのを繰り返す。具体的には、上ブレード２２の各切断刃部２２ｂは該各切断刃部２２ｂの両側に配置されている下ブレード２３の切断刃部２３ｂ，２３ｂの間を往復動し、下ブレード２３の各切断刃部２３ｂは該各切断刃部２３ｂの両側に配置されている上ブレード２２の切断刃部２２ｂ，２２ｂの間を往復動する。
【００１５】
図３に示したように、切断刃部２２ｂ，２３ｂは板部２３ａの側部から水平方向にて側方に突出する第１辺部２２ｂ１，２３ｂ１と、板部２３ａの側部にて第１辺部２２ｂ１，２３ｂ１よりヘッジトリマ１０側となる基端側（異なる位置）から水平方向に側方に突出した第２辺部２２ｂ２，２３ｂ２と、第１辺部２２ｂ１，２３ｂ１の先端と第２辺部２２ｂ２，２３ｂ２の先端とを結ぶ第３辺部２２ｂ３，２３ｂ３とを有し、第１〜第３辺部２２ｂ１〜３，２３ｂ１〜３を連結した形状となっている。第１辺部２２ｂ１，２３ｂ１は板部２３ａ側の基端部を除いて直線状になっている。また、第２辺部２２ｂ２，２３ｂ２も板部２３ａ側の基端部を除いて直線状となっている。第３辺部２２ｂ３，２３ｂ３は全てが直線状になっている。
【００１６】
切断刃部２２ｂ，２３ｂにおける第１辺部２２ｂ１，２３ｂ１と板部２３ａの長手方向ＬＤとの間の内角θ１は７０°となっている。切断刃部２２ｂ，２３ｂにおける第２辺部２２ｂ２，２３ｂ２と板部２３ａの長手方向ＬＤとの間の内角θ２は９０°となっている。第３辺部２２ｂ３，２３ｂ３は板部２２ａ，２３ａの長手方向ＬＤに対して第１辺部２２ｂ１，２３ｂ１側から第２辺部２２ｂ３、２３ｂ３側に進むにつれて板部２２ａ，２３ａから離れるように（長手方向ＬＤより交差する方向に）傾斜しており、具体的には第３辺部２２ｂ３、２３ｂと板部２２ａ，２２ｂの長手方向ＬＤとの間の角度θ３は３０°となっている。切断刃部２２ｂ、２３ｂにおける第２辺部２２ｂ２，２３ｂ２と第３辺部２２ｂ３，２３ｂ３との間の内角θ４は６０°となっている。
【００１７】
上記のように構成したブレードアセンブリ２０の作動を説明する。図４はこのブレードアセンブリ２０の作動状態が示しており、上下ブレード２２，２３を見やすくするために、上ブレード２２を実線で示し、下ブレード２３を２点鎖線で示している。また、このブレードアセンブリ２０は上下のブレード２２，２３を互いに逆向きに往復動させたものであるが、図４では上ブレード２２を同じ位置で示し、下ブレード２３を上ブレード２２に対して相対的に往復動させるように示している。なお、２点鎖線の矢印は下ブレード２３の往復動している方向を示し、実線の矢印は枝Ｂの動く方向を示している。
【００１８】
図４（ａ）に示したように、太めの木の枝Ｂを上下ブレード２２，２３の切断刃部２２ｂ，２３ｂに接近させたときに、図４（ｂ）に示したように、下ブレード２３が図示左側（前側）に移動すると、枝Ｂが下ブレード２３の切断刃部２３ｂによって図示左側（前側）に押される。このとき、図４（ｃ）に示したように、枝Ｂは上ブレード２２の切断刃部２３ｂの傾斜した第３辺部２２ｂ３により板部２２ａ，２３ａ側に案内され、上ブレード２２の切断刃部２２ｂと下ブレード２３の切断刃部２３ｂとの間の奥部まで深く入り込む。図４（ｄ）〜（ｆ）に示したように、下ブレード２３が図示右側（後側）に移動すると、枝Ｂは下ブレード２３の切断刃部２３ｂによって図示右側に移動する。このとき、上下ブレード２２，２３の切断刃部２２ｂ，２３ｂの間に深く入り込んだ枝Ｂは、下ブレード２３が図示右側（後側）に移動するときに外側に押し出されることなく上下ブレード２２，２３の切断刃部２２ｂ，２３ｂによって切断される。特に、下ブレード２３の切断刃部２３ｂにおける第２辺部２３ｂ２と板部２２ａ，２３ａの長手方向ＬＤとの間の内角は９０°で長手方向ＬＤに対して起立しているため、枝Ｂは下ブレード２３の切断刃部２３ｂの起立した第２辺部２３ｂ２によって外側に逃げることなく上ブレード２２の切断刃部２２ｂの第１辺部２２ｂ１に押しつけられ、上ブレード２２の切断刃部２２ｂの第１辺部２２ｂ１と下ブレード２３の切断刃部２３ｂの第２辺部２３ｂ２とで切断される。なお、図４では、上ブレード２２の切断刃部２２ｂの第１辺部２２ｂ１側と下ブレード２３の切断刃部２３ｂの第２辺部２３ｂ２側に枝Ｂを挟むようにして切断した例を示したが、上ブレード２２の切断刃部２２ｂの第２辺部２２ｂ２側と下ブレード２３の切断刃部２３ｂの第１辺部２３ｂ１側に枝Ｂを挟むようにして切断したときも同様である。
【００１９】
上記のように構成したブレードアセンブリ２０においては、上下ブレード２２，２３の各切断刃部２２ｂ，２３ｂが板部２２ａ，２３ａの長手方向ＬＤにて相対的に逆向きに往復動したときに、枝Ｂ等の被切断物は往復動する上ブレード２２の切断刃部２２ｂの傾斜した第３辺部２２ｂ３または下ブレード２３の切断刃部２３ｂの傾斜した第３辺部２３ｂ３によって上ブレード２２の切断刃部２２ｂと下ブレード２３の切断刃部２３ｂの間の奥部まで導かれやすくなる。これにより、被切断物が細い枝のときだけでなく、被切断物を上ブレード２２の切断刃部２２ｂと下ブレード２３の切断刃部２３ｂとの間に入れることができる程度の太めの枝Ｂであっても、枝Ｂが長手方向ＬＤに逆向きに往復動する上ブレード２２の切断刃部２２ｂと下ブレード２３の切断刃部２３ｂとの間で外側に弾かれることなく切断されるようになった。この実施形態の切断刃部２２ｂ，２３ｂでは、第３辺部２２ｂ３，２３ｂ３と板部２２ａ，２３ａの長手方向ＬＤとの間の角度θ３を第１辺部２２ｂ１，２３ｂ１側から第２辺部２２ｂ２，２３ｂ２側に３０°で傾斜させているが、本発明はこれに限られるものでなく、５°≦θ３≦３０°の範囲で傾斜させたものであれば上述した作用効果を得ることができるとともに、切断刃部２２ｂ，２３ｂの第１辺部２２ｂ１，２３ｂ１の長さを短くするのを防ぐことができる。
【００２０】
また、このブレードアセンブリ２０においては、切断刃部２２ｂ，２３ｂの第２辺部２２ｂ２，２３ｂ２と第３辺部２２ｂ３，２３ｂ３の間の内角θ４は６０°となっている。このようにしたことで、枝Ｂ等の被切断物が切断刃部２２ｂ，２３ｂの第２辺部２２ｂ２，２３ｂ２と第３辺部２２ｂ３，２３ｂ３との間の角部に刺さりにくくなった。なお、本発明はこれに限られものでなく、切断刃部２２ｂ，２３ｂの第２辺部２２ｂ２，２３ｂ２と第３辺部２２ｂ３，２３ｂ３の間の内角θ４を６０°より大きくしたときにも、枝Ｂ等の被切断物が切断刃部の第２辺部２２ｂ２，２３ｂ２と第３辺部２２ｂ３，２３ｂ３との間の角部に刺さりにくくすることができる。また、図５に示したように、切断刃部２２ｂ，２３ｂの第２辺部２２ｂ２，２３ｂ２と第３辺部２２ｂ３，２３ｂ３の間の角部にアール（丸み等の曲部）を付与したものであるときには、枝Ｂ等の被切断物が切断刃部２２ｂ，２３ｂの第２辺部２２ｂ２，２３ｂ２と第３辺部２２ｂ３，２３ｂ３との間の角部にさらに刺さりにくくすることができる。
【００２１】
また、このブレードアセンブリ２０においては、切断刃部２２ｂ，２３ｂの第１辺部２２ｂ１，２３ｂ１は第２辺部２２ｂ２，２３ｂ２側に傾斜し、切断刃部２２ｂ，２３ｂにおける第２辺部２２ｂ２，２３ｂ２と板部２２ａ，２３ａの長手方向ＬＤとの間の内角θ２を切断刃部における第１辺部２２ｂ１，２３ｂ１と長手方向ＬＤとの間の内角θ１より大きくし、この実施形態では第２辺部２２ｂ２，２３ｂ２と板部２２ａ，２３ａの長手方向ＬＤとの間の内角θ２を９０°としている。このようにしたことで、枝Ｂ等の被切断物は上ブレード２２の切断刃部２２ｂと下ブレード２３の切断刃部２３ｂとが重なり合うときに切断刃部２２ｂ、２３の第２辺部２２ｂ２，２３ｂ２によって外側に逃げにくくなって切断されやすくなった。なお、この実施形態では第２辺部２２ｂ２，２３ｂ２と板部２２ａ，２３ａの長手方向ＬＤとの間の内角θ２を９０°として、枝Ｂ等の被切断物が最も切断されやすいようにしているが、第２辺部２２ｂ２，２３ｂ２と板部２２ａ，２３ａの長手方向ＬＤとの間の内角θ２を第１辺部２２ｂ１，２３Ｂ１と長手方向ＬＤとの間の内角θ１よりも大きくしたものであれば、上ブレード２２の切断刃部２２ｂと下ブレード２３の切断刃部２３ｂとが重なり合うときに枝Ｂ等の被切断物が切断されやすい作用効果を得ることができる。
【００２２】
なお、図６の他の実施形態のブレードアセンブリ２０に示したように、切断刃部２２ｂ，２３ｂの第２辺部２２ｂ２，２３ｂ２と板部２２ａ，２３ａの長手方向ＬＤとの間の内角θ２を第１辺部２２ｂ１，２３ｂ１と板部２２ａ，２３ａの長手方向ＬＤとの間の内角θ１と同じとしたものであってもよい。上ブレード２２の切断刃部２２ｂと下ブレード２３の切断刃部２３ｂとが重なり合うときに枝Ｂ等の被切断物が逃げにくくなる効果を得にくくなるが、上述した他の作用効果を得ることができる。
【００２３】
上記の実施形態のブレードアセンブリ２０においては、上下ブレード２２，２３は板部２２ａ，２３ａの長手方向ＬＤと直交する方向の両側部に切断刃部２２ｂ，２３ｂを形成するようにしたが、本発明はこれに限られるものでなく、上下ブレード２２，２３は板部２２ａ，２３ａの長手方向ＬＤと直交する方向の一方の側部にのみ切断刃部２２ｂ，２３ｂを形成するようにしたものであってもよく、このようにしたときにも上述したのと同様の作用効果を得ることができる。
【００２４】
上記の実施形態のブレードアセンブリ２０においては、上下ブレード２２，２３を長手方向ＬＤに互いに逆向きに往復動させるようにしているが、本発明はこれに限られるものでなく、上ブレード２２と下ブレード２３の一方を動かないようにハウジング１１に固定し、上ブレード２２と下ブレード２３の他方を長手方向ＬＤに往復動させることで、上下ブレードが長手方向ＬＤに相対的に逆向きに往復動するようにしたものであってもよく、このようにしたときにも上述したのと同様の作用効果を得ることができる。
【００２５】
上記の実施形態のブレードアセンブリ２０（図５に示したものを除いて）においては、上下ブレード２２，２３の切断刃部２２ｂ，２３ｂの第１辺部２２ｂ１，２３ｂ１の基端部及び第２辺部２２ｂ２，２３ｂ２の基端部を除いて、切断刃部２２ｂ，２３ｂの第１〜第３辺部２２ｂ１〜３，２３ｂ１〜３を直線状としたが、本発明はこれに限られるものでなく、第１〜第３辺部２２ｂ１〜３，２３ｂ１〜３の各々の端部に適宜にアール（丸み等の曲部）を付与したものであってもよいし、第１〜第３辺部２２ｂ１〜３，２３ｂ１〜３の各々の端部を含めて全てを直線状としたものであってもよい。
【００２６】
上記の実施形態のブレードアセンブリ２０においては、板部２２ａ，２３ａの先端側を切断刃部２２ｂ，２３ｂの第１辺部２２ｂ１，２３ｂ１とし、板部２２ａ，２３ａの基端側（ハウジング１１側）を切断刃部２２ｂ，２３ｂの第２辺部２２ｂ２，２３ｂ２としたが、本発明はこれに限られるものでなく、板部２２ａ，２３ａの先端側を切断刃部２２ｂ，２３ｂの第２辺部２２ｂ２，２３ｂ２とし、板部２２ａ，２３ａの基端側（ハウジング１１側）を切断刃部２２ｂ，２３ｂの第１辺部２２ｂ１，２３ｂ１としたものであってよく、このようにしたときにも上述したのと同様の作用効果を得ることができる。
【符号の説明】
【００２７】
１０…ヘッジトリマ、２０…ブレードアセンブリ、２２…上ブレード、２３…下ブレード、２２ａ，２３ａ…板部、２２ｂ，２３ｂ…切断刃部、２２ｂ１，２３ｂ１…第１辺部、２２ｂ２，２３ｂ２…第２辺部、２２ｂ３，２３ｂ３…第３辺部、θ１…切断刃部における第１辺部と板部の長手方向との間の内角、θ２…切断刃部における第２辺部と板部の長手方向との間の内角、θ３…第３辺部と板部の長手方向と間の角度、θ４…第２辺部と第３辺部との間の内角。
【図１】
0006660714.tif 000002
【図２】
0006660714.tif 000003
【図３】
0006660714.tif 000004
【図４】
0006660714.tif 000005
【図５】
0006660714.tif 000006
【図６】
0006660714.tif 000007
【図７】
0006660714.tif 000008